(57)【特許請求の範囲】
【請求項１】
フレームに結合された患者支持デッキの下に配置されたＸ線トレイ用のリフト装置であって、
前記リフト装置は、
前記フレームに対して長手方向に並進するように支持されるシフト可能部材と、
前記シフト可能部材に結合した一対のリンクとを備え、
前記一対のリンクの第一リンクは第一端と第二端とを有し、前記一対のリンクの第二リンクは第一端と第二端とを有し、
前記第一リンクの前記第一端は前記Ｘ線トレイに枢動可能に結合し、前記第一リンクの前記第二端は前記シフト可能部材に枢動可能に結合し、前記第二リンクの前記第一端は前記フレームに枢動可能に結合し、前記第二リンクの第二端は前記シフト可能部材に枢動可能に結合し、
前記シフト可能部材が前記長手方向に沿った一方向に動いた場合に、前記第一リンクは、前記第一リンクの前記第一端が前記患者支持デッキに向けて垂直方向に移動するように枢動するとともに、前記第二リンクは、前記第二リンクの前記第一端が前記フレームに向けて前記垂直方向に移動するように枢動し、前記Ｘ線トレイは前記患者支持デッキに向けて前記垂直方向に持ち上げられるＸ線トレイ用のリフト装置。
【請求項２】
前記Ｘ線トレイは、前記Ｘ線トレイ上にＸ線カセットを装着することができるように、前記デッキから離されている第一位置と、前記デッキにより近く配置される前記第一位置よりも高い第二位置との間で、前記フレームに対して垂直方向に移動する請求項１に記載の装置。
【請求項３】
前記フレームに結合された第一及び第二クロス部材を備える請求項２に記載の装置であって、
両端にフランジを備え前記フレームに結合した前記第一及び第二クロス部材に係合するように構成された前記Ｘ線トレイは、前記Ｘ線トレイが前記患者支持デッキに対して略垂直方向に移動中に、前記フレームに対して水平な位置に前記Ｘ線トレイを保持する装置。
【請求項４】
前記デッキは長さ寸法を有し、
前記Ｘ線トレイは前記デッキの略全長寸法にわたってその下に延在する請求項１に記載の装置。
【請求項５】
前記Ｘ線トレイは前記Ｘ線カセットと係合するすべり止め上面を含む請求項１に記載の装置。
【請求項６】
前記シフト可能部材に接続され、前記シフト可能部材を前記長手方向に移動するためのハンドルを備え、前記ハンドルは前記フレーム下にあるハンドル位置へ移動可能である請求項１に記載の装置。
【請求項７】
前記ハンドルは前記ハンドル位置にばねでバイアスされる請求項６に記載の装置。
【請求項８】
前記フレームに枢動可能に結合されたハンドルを備える請求項１に記載の装置であって、
前記ハンドルが第一のハンドル位置から第二のハンドル位置まで前記フレームに対して回転されるときに、前記Ｘ線トレイが、第一位置から、前記第一位置よりも高い第二位置に持上げられるように、前記ハンドルに結合した第一端と前記シフト可能部材に結合した第二端とを有するばねを更に備える装置。
【請求項９】
前記ハンドルに結合した軸と、第一端及び第二端を有するアームとを更に備え、
前記アームの前記第一端は前記軸に結合し、前記アームの前記第二端は前記ばねの前記第一端に結合する請求項８に記載の装置。
【請求項１０】
前記アームは、前記ハンドルが前記第二のハンドル位置に回転することにより前記アームが移動して、前記ばねにより前記Ｘ線トレイを前記第二位置にバイアスするように構成される請求項９に記載の装置。
【請求項１１】
ハンドルと前記シフト可能部材との間に結合されたばねを更に備える請求項１に記載の装置であって、
前記ばねは、前記Ｘ線トレイに支持されるＸ線カセットの厚さにかかわらず、前記Ｘ線トレイを、前記Ｘ線トレイに支持されている前記Ｘ線カセットを前記デッキの底面に対して付勢するような位置に保持するように構成される装置。
【請求項１２】
前記第一及び第二リンクの前記第一及び第二端との間の距離の合計は前記デッキと前記フレームとの間の距離より大きく、前記Ｘ線トレイに支持されるＸ線カセットの厚さにかかわらず、前記リフト装置が前記Ｘ線カセットを前記デッキの底面に対して押し当てて保持することが可能である請求項１に記載の装置。
【請求項１３】
フレームと、
前記フレームに結合された患者支持デッキと、
Ｘ線カセットを収納するように構成された前記デッキの下に配置されるＸ線トレイと、
第一端と第二端とを有するシフト可能部材と、
前記シフト可能部材の前記第一端に結合された第一の対のリンクと、
前記シフト可能部材の前記第二端に結合された第二の対のリンクとを備える患者支持装置であって、
前記第一の対のリンクはそれぞれ、第一端及び第二端を有する第一リンクと、第一端及び第二端を有する第二リンクとを備えて、
前記第二の対のリンクはそれぞれ、第一端及び第二端を有する第一リンクと、第一端及び第二端を有する第二リンクとを備えて、
前記第一の対のリンクの前記第一リンクの前記第一端は、前記Ｘ線トレイに枢動可能に結合し、前記第一の対のリンクの前記第一リンクの前記第二端は、前記シフト可能部材の前記第一端に枢動可能に結合し、前記第一の対のリンクの前記第二リンクの前記第一端は、前記フレームに枢動可能に結合し、前記第一の対のリンクの前記第二リンクの前記第二端は、前記シフト可能部材の前記第一端に枢動可能に結合し、
前記第二の対のリンクの前記第一リンクの前記第一端は、前記Ｘ線トレイに枢動可能に結合し、前記第二の対のリンクの前記第一リンクの前記第二端は、前記シフト可能部材の前記第二端に枢動可能に結合し、前記第二の対のリンクの前記第二リンクの前記第一端は、前記フレームに枢動可能に結合し、前記第二の対のリンクの前記第二リンクの前記第二端は、前記シフト可能部材の前記第二端に枢動可能に結合し、
前記シフト可能部材が前記フレームの長手方向に沿った一方向に動いた場合に、前記第一の対の前記第一リンクは、前記第一の対の前記第一リンクの前記第一端が前記患者支持デッキに向けて垂直方向に移動するように枢動し、前記第二の対の前記第一リンクは、前記第二の対の前記第一リンクの前記第一端が前記患者支持デッキに向けて垂直方向に移動するように枢動するとともに、前記第一の対の前記第二リンクは、前記第一の対の前記第二リンクの前記第一端が前記フレームに向けて前記垂直方向に移動するように枢動し、前記第二の対の前記第二リンクは、前記第二の対の前記第二リンクの前記第一端が前記フレームに向けて前記垂直方向に移動するように枢動して、前記Ｘ線トレイが第一位置から、前記第一位置よりも高い第二位置に前記垂直方向に移動する患者支持装置。
【請求項１４】
前記Ｘ線トレイと、前記シフト可能部材と、二つの前記第一リンクとが第一平行四辺形リンク機構を形成して、
前記フレームと、前記シフト可能部材と、二つの前記第二リンクとが第二平行四辺形リンクを形成する請求項１３に記載の装置。
【請求項１５】
前記Ｘ線トレイは前記フレームに対して垂直方向のみに、
前記Ｘ線トレイにＸ線カセットが装着できるように前記デッキから離れている前記第一位置と、前記デッキにより近く配置される前記第二位置との間で移動する請求項１３に記載の装置。
【請求項１６】
前記フレームに結合する第一及び第二クロス部材を備え、
前記Ｘ線トレイが前記デッキに向けて移動する間に前記Ｘ線トレイを前記フレームに対して水平な位置に保持するように、前記Ｘ線トレイはフランジを両端に備えて前記フレームに結合する前記第一及び第二クロス部材に係合するように構成される請求項１５に記載の装置。
【請求項１７】
前記デッキは長さ寸法を有し、
前記Ｘ線トレイは前記デッキの略全長寸法にわたってその下に延在する請求項１３に記載の装置。
【請求項１８】
前記Ｘ線トレイは前記Ｘ線カセットと係合するすべり止め上面を備える、請求項１３に記載の装置。
【請求項１９】
前記シフト可能部材に接続されて前記シフト可能部材を前記長手方向に動かすためのハンドルを備え、前記ハンドルは前記フレーム下にあるハンドル位置に移動可能である請求項１３に記載の装置。
【請求項２０】
前記ハンドルは前記ハンドル位置にばねでバイアスされる請求項１９に記載の装置。
【請求項２１】
前記フレームに枢動可能に結合したハンドルを備える請求項１３に記載の装置であって、
前記ハンドルが第一のハンドル位置から第二のハンドル位置へと前記フレームに対して回転したとき、前記Ｘ線トレイを第一位置から、前記第一位置よりも高い第二位置へ持上げるため、前記ハンドルに結合した第一端と前記シフト可能部材に結合した第二端とを有するばねを更に備える装置。
【請求項２２】
前記ハンドルに結合された軸と、前記軸に結合する第一端と前記ばねの第一端に結合する第二端とを有するアームとを更に備える、請求項２１に記載の装置。
【請求項２３】
前記ハンドルの前記第二のハンドル位置への回転により前記アームが中央を越えて移動し、前記ばねが前記Ｘ線トレイをその前記第二位置の方へバイアスするように前記アームが構成される、請求項２２に記載の装置。
【請求項２４】
ハンドルと前記シフト可能部材との間で結合されたばねを更に備える請求項１３に記載の装置であって、
前記ばねは前記Ｘ線トレイを前記第二位置に保持するように構成されて、前記Ｘ線トレイに支持される前記Ｘ線カセットの厚さにかかわらず、前記Ｘ線トレイに支持されている前記Ｘ線カセットを前記デッキの底面に対してバイアスする装置。
【請求項２５】
前記第一対のリンクの前記第一及び第二リンクの前記第一及び第二端との間の距離の合計と、前記第二対のリンクの前記第一及び第二リンクの前記第一及び第二端との間の距離の合計はそれぞれ、前記デッキと前記フレームの間の距離より大きく、前記Ｘ線トレイに支持されるＸ線カセットの厚さにかかわらず、前記リフト装置が前記Ｘ線カセットを前記デッキの底面に対して押し当てて保持することが可能である請求項１３に記載の装置。
【請求項２６】
フレームと、
前記フレームに結合された患者支持デッキと、
Ｘ線カセットを収納するように構成され、前記患者支持デッキの方へ移動するように支持されるトレイと、
前記フレームに対して並進するように支持されるシフト可能部材と、
第一リンクと、第二リンクとを備える少なくとも一つのリンク機構とを備える患者支持装置であって、
前記第一リンクは、第一軸の周りを枢動移動（pivoting movement）するように前記トレイに結合され、前記第二リンクは、第二軸の周りを枢動移動するように前記フレームに結合され、前記第一及び第二リンクは、前記第一及び第二軸と平行して距離を置いている第三軸の周りを枢動移動するように前記シフト可能部材に結合されて、
前記シフト可能部材が前記フレームの長手方向に沿った一方向に並進した場合に、前記第三軸が前記一方向に移動することにより、前記第一リンクは、前記第一軸が前記患者支持デッキに向けて垂直方向に移動するように前記第一軸の周りを枢動するともに、前記第二リンクは、前記第二軸が前記フレームに向けて前記垂直方向に移動するように枢動し、前記トレイは前記患者支持デッキに向けて前記垂直方向に移動する装置。
【請求項２７】
前記トレイは前記患者支持デッキの下に配置され、
前記少なくとも一つのリンク機構が前記トレイを前記患者支持デッキの方へ上昇させるために移動可能である請求項２６に記載の患者支持装置。
【請求項２８】
前記シフト可能部材は前記トレイと前記フレームとの間に配置される請求項２７に記載の患者支持装置。
【請求項２９】
少なくとも一つの前記リンク機構が前記トレイと前記フレームとの間にも配置される請求項２８に記載の患者支持装置。
【請求項３０】
前記フレームに結合されたハンドルを更に備える請求項２６に記載の患者支持装置であって、
前記ハンドルは前記シフト可能部材を前記フレームに対して並進させるために前記フレームに対して回転可能である。
【請求項３１】
前記ハンドルは前記フレームの下に配置されているハンドル位置へ移動可能である請求項３０に記載の患者支持装置。
【請求項３２】
前記ハンドルは前記ハンドル位置へとばねでバイアスされる請求項３１に記載の患者支持装置。
【請求項３３】
前記シフト可能部材の第一及び第二端にそれぞれ結合された第一対のリンク機構と第二対のリンク機構とを更に備える、請求項２６に記載の患者支持装置。
【請求項３４】
ハンドルと、
前記ハンドルに結合した軸と、
前記軸から延出するアームと、
前記アームに結合され、また前記シフト可能部材に結合されている伸張性要素（extensible element）とを更に備える、請求項２６に記載の患者支持装置。
【請求項３５】
前記伸張性要素はばねとそのばねに結合されたケーブルとを含む、請求項３４に記載の患者支持装置。
【請求項３６】
前記ハンドルは前記フレームの下に配置されているハンドル位置へと移動可能である請求項３４に記載の患者支持装置。
【請求項３７】
前記ハンドルは前記ハンドル位置へばねでバイアスされる請求項３６に記載の患者支持装置。
【請求項３８】
前記トレイは前記フレームに対して垂直方向のみに、前記Ｘ線トレイにＸ線カセットを装着できるように、前記デッキから離れている第一位置と、前記デッキにより近く配置された、前記第一位置よりも高い第二位置との間を移動する請求項２６に記載の装置。
【請求項３９】
前記Ｘ線トレイは、前記Ｘ線トレイの移動中に前記Ｘ線トレイを前記フレームに対して水平な位置に保持する、前記フレームに結合する前記第一及び第二クロス部材に係合するように構成されフランジを両端に備える、請求項３８に記載の装置。
【請求項４０】
前記デッキは長さ寸法を有し、
前記トレイは前記デッキの略全長寸法にわたってその下に延在する請求項２６に記載の装置。
【請求項４１】
前記Ｘ線トレイは前記Ｘ線カセットと係合するすべり止め上面を備える、請求項２６に記載の装置。
【請求項４２】
前記フレームに枢動可能に結合したハンドルと、
前記ハンドルが前記フレームに対して第一のハンドル位置から第二のハンドル位置まで回転したとき、前記Ｘ線トレイを第一位置から、前記第一位置よりも高い第二位置へ持上げるように、前記ハンドルに結合する第一端と前記シフト可能部材に結合する第二端とを有するばねとを更に備える、請求項２６に記載の装置。
【請求項４３】
前記ハンドルに結合される軸と、前記軸に結合される第一端と前記ばねの前記第一端に結合される第二端とを有するアームとを更に備える、請求項４２に記載の装置。
【請求項４４】
前記ハンドルの前記第二Ｘ線位置への回転により前記アームが移動され、前記ばねが前記Ｘ線トレイを前記第二位置で保持するように前記アームは構成される、請求項４３に記載の装置。
【請求項４５】
前記フレームに枢動可能に結合したハンドルと、前記ハンドルと前記シフト可能部材の間に結合されたばねとを更に備える請求項２６に記載の装置であって、
前記ばねは、前記Ｘ線トレイに支持されたＸ線カセットの厚さにかかわらず、前記Ｘ線カセットを前記デッキの底面に対して押し当てて保持する位置に前記Ｘ線トレイを保持するように構成される装置。
【請求項４６】
前記第一軸と前記第三軸との間及び前記第二軸と前記第三軸との間の距離の合計は、前記デッキと前記フレームの間の距離より大きく、前記Ｘ線トレイに支持されるＸ線カセットの厚さにかかわらず、前記リフト装置が前記Ｘ線カセットを前記デッキの底面に対して押し当てて保持することが可能である、請求項２６に記載の装置。
【発明の詳細な説明】
【０００１】
《発明の背景及び概要》
本発明はストレッチャや病院のベッドに関する。特には、本発明はストレッチャの支持面にいる患者のＸ線撮影を容易にするストレッチャに関する。
【０００２】
「ストレッチャ」という用語が本願明細書を通じて使用されているが、本発明の新しい特徴はあらゆる種類のベッド或いは患者支持装置に取り入れることができることが理解される。
【０００３】
Ｘ線カセットを保持する構成を備えるストレッチャ或いはベッドは公知である。例えば、米国特許第１，７６８，７６９号、第３，７７４，０４５号、第４，１９３，１４８号、第４，５８４，９８９号、第４，６５１，３６４号、第４，８９３，３２３号、第４，９０５，２６６号、第４，９１６，７２５号、第４，９２６，４５７号、第４，９４７，４１８号、第５，１５５，７５８号、第５，２５５，３０３号、及び第５，４２２，９２８号を参照されたい。
【０００４】
緊急或いは外傷状態のときには、患者に対してＸ線カセットを配置するときには最大の柔軟性を有することが重要である。更に、Ｘ線カセットには可能な限り最良のＸ線像を生成することが重要である。典型的には、患者とＸ線カセットとの間の距離が増えると、Ｘ線放射線が広がったり或いは拡大したりする。従って、Ｘ線カセットを患者のできる限り近くに配置することが好ましい。
【０００５】
本発明は米国特許第５，９９６，１４９号に関し、本明細書にも援用される。本発明では、ストレッチャの患者支持面に隣接するように配置される改良されたＸ線トレイが提供される。この改良されたＸ線トレイは、手でカセットをトレイ上に滑り込ませることにより、Ｘ線カセットが患者支持デッキの下のほとんどどのような水平位置に装着されることも可能とする。フレームと患者支持デッキとの間には手が入るほどの十分な空間が設けられる。Ｘ線カセットが患者の下の所望の水平位置でＸ線トレイ上に装着された後、Ｘ線トレイはリフティング装置で上方へ上げられＸ線カセットを患者支持デッキの底面に隣接するように配置して、カセットへのＸ線イメージングを改良することができる。
【０００６】
本発明に基づいて、患者支持装置はフレームと、そのフレームに結合された患者支持デッキと、Ｘ線カセットを支持するために患者支持デッキの下に配置されたトレイと、そのトレイを患者支持デッキの方へ持上げるリフト装置とを備える。リフティング装置は、前記フレームに対して長手方向に平行移動するよう支持されているシフト可能部材（shiftable member）を備える。リフトシフト可能部材には一対のリンクが結合されている。その一対のリンクの第一リンクは、トレイに枢動可能に結合される第一端とシフト可能部材に枢動可能に結合される第二端とを有する。前記一対のリンクの第二リンクは、フレームに枢動可能に結合される第一端とシフト可能部材に枢動可能に結合される第二端とを有する。シフト可能部材は長手方向に移動可能でありリンクを広げトレイを持上げる。ハンドルは好ましくはシフト可能部材を移動するために設けることができる。
【０００７】
本発明の更なる特徴によると、Ｘ線トレイは、フレームに対して垂直のみに、デッキから離れてＸ線トレイにＸ線カセットを装着できる低位側第一位置と、デッキのより近くに配置された高位側第二位置との間で移動する。本発明の更なる特徴に基づくと、Ｘ線トレイは、フレームに結合されたクロス部材に係合するように構成されたフランジを両端に備え、Ｘ線トレイが移動中のときにはＸ線トレイをフレームに対して同じ水平位置に保つ。
【０００８】
本発明の更なる特徴によると、Ｘ線トレイはデッキの下にその略全長寸法にわたって延在する。本発明の別の特徴によると、Ｘ線トレイはＸ線カセットと係合するためのすべり止め（non-slip）上面を備える。本発明の別の更なる特徴によると、ハンドルはフレームの下の収納位置に移動可能であり、ハンドルはその収納位置の方へばねでバイアスされる。
【０００９】
また本発明の更なる特徴によると、ハンドルはフレームに枢動可能に結合されており、リフト装置はハンドルに結合した第一端とシフト可能部材に結合した第二端とを有するばねを備え、ハンドルがフレームに対して第一収納位置から第二Ｘ線位置へ回転するときＸ線トレイを高位側第二位置へ上方に持上げる。
【００１０】
また本発明の更なる特徴によると、リフト装置はハンドルに結合した軸と、その軸に結合した第一端と前記ばねの第一端に結合した第二端とを有するアームとを備える。本発明の別の更なる特徴によると、ハンドルの第二Ｘ線位置までの回転によりアームが中央を越えて移動し、ばねによりＸ線トレイをその高位側第二位置に向けてバイアスされるように、アームは構成される。本発明の更なる特徴によると、ばねはＸ線トレイをその高位側第二位置に保持するように構成され、Ｘ線トレイに支持されるＸ線カセットの厚さにかかわらず、Ｘ線カセットをデッキの底面に対して付勢する。
【００１１】
本発明の更なる特徴や利点は今のところ判明している本発明の最適な実施の形態を例示する下記の好適実施例の詳細な説明から当業者には容易に明らかになるだろう。
【００１２】
《図面の詳細な説明》
本発明はトラウマストレッチャに関して説明されるが、手術台や、病院のベッドや、歩行用の椅子（ambulatory chair）等のどのような患者支持装置に関しても使用できることが理解される。また、本発明のＸ線トレイリフト装置はトラウマストレッチャの患者支持デッキの底面に対してＸ線カセットを持上げるために使用されるが、異なるアクセサリーを持上げるためにも勿論使用され得る。その結果として、本発明のＸ線トレイリフティング装置はトラウマストレッチャ或いはＸ線カセットとともに使用するのに限定されることはない。
【００１３】
図１を参照すると、本発明に基づくトラウマストレッチャ２０は、キャスター２４に支持される基部２２と、一組のフレームリフト機構２８、３０により基部２２に結合されるアッパーフレーム２６と、基部２２を覆う囲い板３２と、ヘッドエンド４０と、フットエンド４２と、延長第一側４４と、延長第二側４６と、長手軸４８とを備える。本説明で使用されるように、「ヘッドエンド４０」という語句は、ストレッチャ２０のヘッドエンド４０の一番近くに配置される対象物の一端を示すのに使用され、「フットエンド４２」という語句はストレッチャ２０のフットエンド４２の一番近くに配置される対象物（referred-to-object）の一端を示すのに使用される。同様に、「第一側４４」という語句はストレッチャ２０の第一側４４の一番近くに配置される対象物の一側を示すのに使用され、「第二側４６」という語句はストレッチャ２０の第二側４６の一番近くに配置される対象物の一側を示すのに使用される。
【００１４】
図３に示すように、フレーム２６はストレッチャ２０の第一側４４にある上部と下部側部レール５０、５２と、ストレッチャ２０の第二側４６にある上部と下部側部レール５４、５６とを備える。上部側部レール５０、５４は、複数の略水平に延長するクロス部材５８、６０、６２、６４により横に間隔をおいた関係で保持される。下部側部レール５２、５６は複数の略水平に延長するクロス部材６６、６８、７０、７２、７４により横に間隔をおいた関係で保持される。上部と下部側部レール５０、５４、及び５２、５６は、複数の略垂直に延長する支柱部材７６、７８、８０、８２により垂直方向に間隔をおいた関係で保持される。フレームリフティング機構２８、３０は下部側部レール６４、６６に固定されたクロス部材６８、７２に結合されている。フレームリフト機構２８、３０はそれぞれ、フレーム２６の各ヘッドエンドとフットエンド４０、４２の垂直方向の位置を制御する。基部２６に対してフレーム２６を上げたり下げたりするほかに、フレームリフト機構２８、３０は、基部２２に対して、フレーム２６のヘッドエンド４０がフットエンド４２の下となるトレンデレンブルク体位と、フレーム２６のヘッドエンド４０がフットエンド４２の上にくる逆トレンデレンブルク体位との間でフレーム２６を傾ける。
【００１５】
患者支持デッキ１００は、フレーム２６の上部側部レール５０、５４に支持される。上向き患者支持面を有するマットレス１０２はデッキ１００に載せられる。デッキ７８の両側４４、４６には一対のサイドガードレール１０６、１０８が取り付けられる。デッキ１００より上の位置で液体コンテナや他の対象物（objects）を保持する点滴ポール１１０がフレーム２６に枢動可能に取り付けられる。デッキ１００は、図示するように放射線透過性の材料から作られてＸ線をデッキ１００が透過できるようにする。デッキ１００として適当な材料は、アルミニウムのコーティングが１ｍｍより少ないフォーマイカ（Formica）が使用され得る。
【００１６】
基部２２には幾つかのフットペダル１１２が枢動可能に結合され、フレームリフト機構２８、３０に結合されフレーム２６のヘッドエンドとフットエンド４０、４２の縦方向の位置を制御する。更に、キャスター２４の制動（braking）を制御するために、ブレーキペダル１１４はフットエンド４２の近くで基部２２に結合される。ブレーキ−ステアバタフライペダル（break-steer butterfly pedal）１１６は基部２２にヘッドエンド４０の付近で結合されて、キャスター２４の制動と、ブレーキがかけられたキャスター２４の解放との両方を制御する。フットペダル１１２と、ブレーキペダル１１４と、ブレーキ−ステアペダル１１６とはそれぞれ基部２２から外へ延出する。プッシュバー１１８、１２０はフレーム２６のヘッドエンド４０に枢動可能に取り付けられ、介護者が床１２２の上でストレッチャ２０を手動で押すことができる。
【００１７】
図１と図３を参照すると、デッキ１００はヘッドセクション１３０とフットセクション１３２とを備える。ヘッドセクション１３０はスタンドオフstandoffs１３４、１３６に枢動可能に結合されて上部側部レール５０、５４に取り付けられて、図１に示す低位側水平位置と、図示されてない上昇され傾斜した位置との間で動作する。一対の気体シリンダー１３８、１４０は、ヘッドセクション１３０の両側４４、４６に結合される。アクチュエータ１４２が気体シリンダー１３８、１４０を解放してヘッドセクション１３０がスタンドオフ１３４、１３６の周りを枢動することができる。気体シリンダー１２４、１２６はアクチュエータ１４２が解放されると所望の角度の位置でヘッドセクション１３０を固定する。図３に示すように、一対の脚部１４４、１４６は、フットエンド４２付近でフットセクション１３２に結合される。スタンドオフ１３４、１３６、気体シリンダー１３８、１４０と、脚部１４４、１４６が協同してデッキ１００を上部側部レール５０、５４と間隔を置いた関係で保持する。
【００１８】
本発明に基づいて、ストレッチャ２０はＸ線トレイリフト装置２００を備える。Ｘ線トレイリフト装置２００は、Ｘ線カセット２０４を支持するように構成されたＸ線トレイ２０２を備える。前述したように、デッキ１００は上部側部レール５０、５４から離れており、図７と図８で示すようにＸ線トレイ２０２を収納するための空間２０６を形成する。Ｘ線トレイ２０２はストレッチャ２０の中央に配置され、デッキ１００のほぼ全長及び全幅寸法にわたってその下に延在する。これにより、Ｘ線トレイ２０２上のどのような所望の位置へもＸ線カセットを容易に配置することができる。Ｘ線トレイ２０２の上面２０８は、ストレッチャ２０がトレンデレンブルク体位或いは逆トレンデレンブルク体位に傾けられたときにＸ線カセット２０４が滑るのを防ぐテクスチャーを有するすべり止めパッドにより覆うことができる。
【００１９】
Ｘ線トレイ２０２は、（ａ）図７に図示するようなＸ線トレイ２０２にＸ線カセット２０４を配置できるような低位側カセット装着位置と、（ｂ）図８に図示するようにＸ線カセット２０４をデッキ１００の底面２１０に対して押し当てる高位側Ｘ線位置との間で動作するように支持される。Ｘ線カセット２０４のＸ線像の質は、Ｘ線カセット２０４をデッキ１００の底面２１０の近くに配置することで改良される。図６に示すように、上部側部レール５０、５４の上面には標識（indicia）２１２が記され、介護者がＸ線カセット２０４をトレイ２０２に正確に配置できるように補助する。図２に概略的に示すように、トレイ２０２は両端４０、４２に横方向に延在する端フランジ２１４、２１６を備え、それらは上部側部レール５０、５４に結合したクロスバー６０、６２に係合するように構成され、トレイ２０２が上下移動するときにトレイ２０２をデッキ１００に対して同じ水平位置に維持する。トレイ２０２はその両側４４、４６に長手に延出する側部フランジ２１８、２２０を更に備える。
【００２０】
図２及び図３に示すように、Ｘ線リフト装置２００は、長手方向４８にフレーム２６に対して平行移動するように支持されるシフト可能部材２３０を更に備える。一対の横ピボットロッド２４０、２５０はシフト可能部材２３０の両端２３２、２３４に回転可能に結合される。ピボットロッド２４０、２５０は、Ｘ線トレイ２０２と上部側部レール５０、５４とに四つのリンク機構で結合されている。それらは、ストレッチャ２０のヘッドエンド４０に隣接する一対のリンク機構２６０、２７０と、ストレッチャ２０のフットエンド４２に隣接する一対のリンク機構２８０、２９０である。リンク機構２６０、２７０は、ピボットロッド２４０の両端２４２、２４４をトレイ２０２の側部フランジ２１８、２２０と上部側部レール５０、５４とにそれぞれ結合する。一方、リンク機構２８０、２９０は、ピボットロッド２５０の両端２５２、２５４をＸ線トレイ２０２の側部フランジ２１８、２２０と上部側部レール５０、５４とのそれぞれに結合する。
【００２１】
図２、図３、図７及び図８を参照すると、リンク機構２６０は、（ａ）トレイ２０２の側部フランジ２１８に枢動可能に結合された上部端２６２'とピボットロッド２４０の第一端２４２に枢動可能に結合された下部端２６２"とを有する上部リンク２６２と、（ｂ）ピボットロッド２４０の第一端２４２に枢動可能に結合された上部端２６４'と、上部側部レール５０に枢動可能に結合された下部端２６４"とを有する下部リンク２６４とを備える。リンク機構２７０は、（ａ）トレイ２０２の側部フランジ２２０に枢動可能に結合された上部端２７２'とピボットロッド２４０の第二端２４４に枢動可能に結合された下部端２７２"とを有する上部リンク２７２と、（ｂ）ピボットロッド２４０の第二端２４４に枢動可能に結合された上部端２７４'と、上部側部レール５４に枢動可能に結合された下部端２７４"とを有する下部リンク２７４とを備える。
【００２２】
一方、リンク機構２８０は、（ａ）トレイ２０２の側部フランジ２１８に枢動可能に結合した上部端２８２'と、ピボットロッド２５０の第一端２５２に枢動可能に結合した下部端２８２"とを有する上部リンク２８２と、（ｂ）ピボットロッド２５０の第一端２５２に枢動可能に結合した上部端２８４'と上部側部レール５０に枢動可能に結合した下部端２８４"とを有する下部リンク２８４とを有する。リンク機構２９０は、（ａ）トレイ２０２の側部フランジ２２０に枢動可能に結合した上部端２９２'と、ピボットロッド２５０の第二端２５４に枢動可能に結合した下部端２９２"とを有する上部リンク２９２と、（ｂ）ピボットロッド２５０の第二端２５４に枢動可能に結合した上部端２９４'と、上部側部レール５４に枢動可能に結合した下部端２９４"とを有する下部リンク２９４とを有する。
【００２３】
図２、図３、図７及び図８を参照すると、シフト可能部材２３０と、二つのピボットロッド２４０、２５０と、ストレッチャ２０のヘッドエンド４０に隣接するピボットロッド２４０に結合する二つの上部リンク２６２、２７２と、ストレッチャ２０のフットエンド４２に隣接するピボットロッド２５０に結合する二つの上部リンク２８２、２９２と、Ｘ線トレイ２０２とが第一平行四辺形配列を形成する。同様に、シフト可能部材２３０と、二つのピボットロッド２４０、２５０と、ストレッチャ２０のヘッドエンド４０に隣接するピボットロッド２４０に結合された二つの下部リンク２６４、２７４と、ストレッチャ２０のフットエンド４２に隣接するピボットロッド２５０と上部側部レール５０、５４に結合された二つの下部リンク２８４、２９４とにより第二平行四辺形配列を形成する。シフト可能部材２３０がストレッチャ２０のフットエンド４２に向かって並進してトレイ２０２をデッキ１００の方へ持上げるときに、上部リンク２６２、２７２、２８２及び２９２と下部リンク２６４、２７４、２８４及び２９４とが広がる。一方、シフト可能部材２３０がストレッチャ２０のヘッドエンド４０の方へ並進してトレイ２０２を下げるときには、上部リンク２６２、２７２、２８２と２９２及び下部リンク２６４、２７４、２８４と２９４は折り畳まれる。
【００２４】
図２及び図３から理解されるように、Ｘ線トレイリフト装置２００は、デッキ１００の各側４４、４６に二つの作動機構３００を備える。図８に示すように、各作動機構３００はシフト可能部材２３０に結合され、シフト可能部材２３０をストレッチャ２０のフットエンド４２の方へ並進して、デッキ１００の底面２１０に対してカセット２０４を保持するその高位側第二位置にトレイ２０２を持上げる。二つの作動機構３００は互いに鏡面対称になっている。ストレッチャ２０の第一側４４に隣接する作動機構３００は、図４を参照しながら下記に説明される。ストレッチャ２０の第二側４６に隣接するもう一つの作動機構３００の構成や動作の説明は同様である。
【００２５】
作動機構３００はフレーム２６に枢動可能に結合されたハンドル３０２を備える。ハンドル３０２は、（ａ）図４及び図７に示すストレッチャ２０のヘッドエンド４０に向く上部側部レール５０下の第一収納位置と、（ｂ）図８に示すストレッチャ２０のフットエンド４２に向く上部側部レール５０下の第二Ｘ線位置との間で回転可能である。ハンドル３０２をストレッチャ２０のヘッドエンド４０に向く第一収納位置からストレッチャ２０のフットエンド４２に向く第二Ｘ線位置に回転して、トレイ２０２を図７に示すデッキ１００から間隔を置いた低位側第一位置から図８に示すデッキ１００に近い高位側第二位置へ移動する。
【００２６】
図４及び図５に示すように、ハンドル３０２は一対の略三角形のアームや突出部３０４、３０６と軸３０８により結合されている。軸３０８は下部側部レール５２に装着されたブラケット３１０に結合されている。ブラケット３１０は、軸３０８を収納する上縁３１６付近にある上向き半円形開口３１４を有する略垂直に延出する外壁３１２を備える。軸３０８を収納する下縁３２２付近の下向き半円形開口３２０を有するブッシング板３１８は、ねじ３２４によりブラケット３１０の外壁３１２に固定される。ブラケット３１０の略垂直に延出する外壁３１２は、ブッシング板３１８に形成された略水平に延長するスロット３２８に収納されるように構成された外側へ延出するタブ３２６（図６に示す）を備え、ブッシング板３１８がブラケット３１０の外壁３１２に組み込まれることを容易にする。カラー３３２を有するブッシング３３０は軸３０８に装着されて摩擦や雑音の発生を減少させる。
【００２７】
図４及び図５に示されるように、略垂直に延出する板３３４は、軸３０８を収納する下縁３３８の付近の下向き半円形開口３３６を有し、上部側部レール５０の内壁に固定される。軸３０８を収納する上縁３４４付近の上向き半円形開口３４２を有するブッシング板３４０は、略垂直に延長する板３３４に図示しないねじ３４６で固定される。略垂直に延出する板３３４は、ブッシング板３４０に形成された略水平に延出するスロット３５０に収納されるように構成された内側へ延出するタブ３４８を備え、ブッシング板３４０が上部側部レール５０に結合した略垂直に延出する板３３４に組み込まれることを容易にする。カラー３５４を有するブッシング３５２は軸３０８に装着されて摩擦や雑音の発生を減少させる。
【００２８】
図５に示すように、軸３０８に結合されたホイール３５４は二つのブッシングカラー３３２、３５４の間に配置され、（ａ）ハンドル３０２が上部側部レール５０の下の位置へと内側へ押し込まれたとき、ホイール３５６が内側カラー３３２と係合する、または（ｂ）ハンドル３０２が上部側部レール５０より外側に引き出されると、ホイール３５６は外側カラー３５０に係合する。図５に示すように、二つのカラー３３２、３５４は対応するブッシング板３１８、３４０より外側に配置されて、ハンドル３０２が上部側部レール５０の下の収納位置に押し込まれたり、上部側部レール５０より外に引き出されてハンドル３０２を回転することもできる。ばね３６０は作動機構３００の二つの略三角形内側突出部３０６の間で結合され、二つのハンドル３０２をストレッチャ２０の中央にそれらの上部側部レール５０、５４の下の各収納位置に内方へバイアスする。
【００２９】
作動機構３００は、二つの略三角形突出部３０４、３０６に結合された軸３６２を更に備える。ばね３６６の第一端３６４は軸３６２に結合される。ばね３６６の第二端３６８はケーブル３７２の第一端３７０に結合される。ケーブル３７２の第二端３７４は、シフト可能部材２３０に取り付けられた下向き延長アーム３７６にねじ３７７で結合される。座金３７８は軸３６２に装着されて、軸３６２にばね３６６を保持する。ブラケット３１０の側面に延出する壁３８０、３８２は略三角形突出部３０４、３０６と係合するように構成され、ハンドル３０２の両方向への動きを制限する。
【００３０】
動作中には、ハンドル３０２が矢印３９０の方向に上部側部レール５０より外方に延出してストレッチャ２０のフットエンド４２に向かって矢印３９２の方向へ回転した場合、略三角形突出部３０４、３０６も矢印３９２の方向へ回転してばね３６６を伸張する。これにより、ばね３６６がシフト可能部材２３０に結合した下方延出アーム３７６をストレッチャ２０のフットエンド４２の方に矢印３９４の方向へ引っ張る。図８に示すように、上部リンク２６２、２７２、２８２と２９２、及び下部リンク２６４、２７４、２８４と２９４は、シフト可能部材２３０がストレッチャ２０のフットエンド４２の方へ並進するときに広がり、トレイ２０２をデッキ１００の方に上げてＸ線トレイ２０２に支持されているＸ線カセット２０４をデッキ１００の底面２１０に押し当てる。ハンドル３０２は上部側部レール５０の下の位置へと内側に押し込まれ、ストレッチャ２０のフットエンド４２の方へ向くようになる。ハンドル３０２が上部側部レール５０より外方に延出して矢印３９２の方向へストレッチャ２０のフットエンド４２の方へ回転して、図８に示すようにばね３６６はその中央を越えた位置を通りトレイ２０２を上方にその高位側第二位置へバイアスする。
【００３１】
トレイ２０２を下げるために、ハンドル３０２は矢印３９０の方向へ上部側部レール５０より外側に延出されて、矢印３９６の方向へストレッチャ２０のヘッドエンド４０の方へ回転される。ハンドル３０２を矢印３９６の方向へ回転することによりばね３６６が緩み、図７に示すように重力によりトレイ２０２をその低位側第一位置へ移動する。図３に示すようにトレイ２０２は、フレーム２６のクロス部材６８、７２や他の部分と係合するように構成されるクッションやパッド３９８を備え、トレイ２０２の下方への移動を緩衝して雑音を減少させる。トレイ２０２を持上げるためにはどちらのハンドル３０２を操作してもよい。また、二つのハンドル３０２は互いに独立に作動可能である。
【００３２】
上部リンク２６２、２７２、２８２、２９２の上部及び下部端２６２'、２６２"、２７２'、２７２"、２８２'、２８２"、及び２９２'、２９２"と、対応する下部リンク２６４、２７４、２８４、及び２９４の上部及び下部端２６４'及び２６４"、２７４'及び２７４"、２８４'及び２８４"、及び２９４'及び２９４"との距離の合計は、デッキ１００と上部側部レール５０、５４との垂直距離より大きいため、Ｘ線カセット２０４の厚さにかかわらず、トレイ２０２に支持されるＸ線カセット２０４がデッキ１００の底面２１０に対して確実に押し当てられる。図７に示すように、この関係によりトレイ２０２が重力によりその低位側第一位置に確実に移動して、ハンドル３０２がストレッチャ２０のヘッドエンド４０の方へ回転してばね３６６をゆるめるときに、図８に示すようにトレイ２０２がその高位側第二位置で引掛からないようにする。図示する実施例において、全てのリンク２６２、２６４、２７２、２７４、２８２、２８４、２９２及び２９４は同じ長さである。
【００３３】
実施例等を参照しながら本発明は説明されており、本発明の請求の範囲から逸脱しない範囲で数々の変形や修正も採り入れることができると理解される。
【図面の簡単な説明】
【図１】  図１は、キャスターに支持される基部と、基部に前と後フレームリフト機構で結合されたアッパーフレームと、Ｘ線カセットを支持するため患者支持デッキ下に配置されるＸ線トレイと、Ｘ線トレイを患者支持デッキに隣接する高位側第二位置に持上げる本発明のリフト装置とを備えるトラウマストレッチャの斜視図である。
【図２】  図２は、Ｘ線トレイリフト装置の一部破断された略図の部分斜視図であり、フレームに結合した第一と第二クロス部材と係合するように構成された両端にフランジがあるＸ線トレイと、Ｘ線トレイとフレームとを係合する複数のリンク機構と、長手方向へ並進するためリンク機構に結合するシフト可能部材と、フレームに枢動可能に結合するハンドルと、回転のためハンドルに結合した軸と、軸に結合したアームと、ハンドルがフレーム下の第一収納位置から外側に引き出されフレームに対して第二Ｘ線位置へと回転させられ、ハンドルをフレーム下に内側へ押し込まれ、Ｘ線トレイを上方にその高位側第二位置へ上げる、アームに結合した第一端とシフト可能部材に結合した第二端とを有するばねとを示す。
【図３】  図３は、図１のトラウマストレッチャの一部破断された分解透視図であり、患者支持デッキと、両端にフランジを有するＸ線トレイと、図２のＸ線トレイリフト装置と、フレームとを示す。
【図４】  図４は、図２及び図３のリフト装置の部分斜視図であり、フレームに枢動可能に結合したハンドルと、ハンドルに結合した軸と、軸から延出するアームと、アームに結合した一端とシフト可能部材に固定されたケーブルに結合した第二端とを有するばねとを示す。
【図５】  図５は、前記軸に結合されたハンドルと、更に軸をフレームに装着する詳細を示す部分斜視図である。
【図６】  図６は、フレームに枢動可能に結合したハンドルと、ハンドルに結合した軸と、フレームに対するＸ線カセットの位置を表すフレームに固定された標識とを示す部分平面図である。
【図７】  図７は、図１の線７−７に沿った断面図であり、デッキ下に配置されるＸ線トレイを示し、その上にＸ線カセットの配置が可能であるその低位側第一位置で示されるＸ線トレイと、トレイとフレームとの間で結合された複数のリンク機構と、長手方向への並進のためリンク機構に結合されたシフト可能部材と、フレームに回転可能に結合されたハンドルと、ハンドルに結合されるアームと、アームに結合した第一端とシフト可能部材に固定されたケーブルに結合した第二端とを有するばねとを示す。
【図８】  図８は、図７と同様の断面図であり、Ｘ線カセットを患者支持デッキの底面に対して押し当てて保持する上方に延出されたＸ線位置に移動したＸ線トレイを示す。
【図１】
0004568466.tif 000002
【図２】
0004568466.tif 000003
【図３】
0004568466.tif 000004
【図４】
0004568466.tif 000005
【図５】
0004568466.tif 000006
【図６】
0004568466.tif 000007
【図７】
0004568466.tif 000008
【図８】
0004568466.tif 000009